(57)【要約】  【課題】  排水処理槽の設置工事期間を短縮化するとともに、排水処理槽の稼働に要する水処理用の各種機器が水没して破損することを防止し、これらの水処理用の各種機器に関する定期メンテナンスを容易に行うことができるディスポーザ排水処理システムの排水処理槽を提供すること。  【解決手段】  貯留タンク２は、その内部に上記した排水処理室３と完全に隔絶された状態で機器格納室２５が画設されており、これらの排水処理室３と機器格納室２５とを有する一体物として成形されている。この機器格納室２５は、貯留タンク２の内部における放流ポンプ槽室８の次段に画設されており、排水処理槽１の稼働、工事、点検及び検査等において使用が必要となる各種機器３０を格納設置可能なスペースを備えている。【選択図】        図１
2009034601.tif 000002
【特許請求の範囲】
【請求項１】
ディスポーザにより破砕された破砕廃棄物を含んだ排水の汚濁負荷を低減させるための水浄化処理が行われるディスポーザ排水処理システムの排水処理槽において、
運搬可能なサイズに形成されている貯留タンクと、
その貯留タンクの内部に画設され、破砕廃棄物を含んだ排水が貯留可能に形成され、その貯留した排水に対して水浄化処理を施すための排水処理室と、
その排水処理室と隔絶された状態で前記貯留タンクの内部に画設され、その貯留タンクに貯留される排水の水浄化処理に使用される水処理機器を格納設置可能でかつ作業員を収容可能なスペースを有する機器格納室と、
その機器格納室へ出入り可能かつ開閉可能に形成される点検口とを備えていることを特徴とするディスポーザ排水処理システムの排水処理槽。
【請求項２】
前記機器格納室に格納設置される水処理機器を収容可能で、かつ、その水処理機器を収容した状態で内部の空気が吸引除去されて密封される収容袋を備えていることを特徴とする請求項１記載のディスポーザ排水処理システムの排水処理槽。
【請求項３】
前記機器格納室は、前記した水処理機器の他に加えて、その機器格納室及び前記排水処理室における工事、点検、検査又はその他の作業を行うために用いられる作業用設備が格納設置可能に形成されていることを特徴とする請求項１又は２に記載のディスポーザ排水処理システムの排水処理槽。
【請求項４】
前記機器格納室に格納設置される前記作業用設備には、その機器格納室内の浸水を排出する雨水排出用ポンプ、その機器格納室内の換気を行う換気装置、その機器格納室内を照らす照明装置、又は、その機器格納室内に電力を供給するための電気配線用差込接続器のプラグ受け器である電気コンセントのうち１又は２以上が含まれていることを特徴とする請求項１から３のいずれかに記載のディスポーザ排水処理システムの排水処理槽。
【発明の詳細な説明】
【技術分野】
【０００１】
本発明は、ディスポーザによって破砕された廃棄物（以下「破砕廃棄物」ともいう。）が含まれる排水を処理して公共下水道へ排出するディスポーザ排水処理システムに関し、特に、排水を公共下水道へ排出する前段階で、その排水の汚濁負荷を低減させる水浄化処理が行われる排水処理槽に関するものである。
【背景技術】
【０００２】
近年、一般家庭や飲食施設の台所や厨房で発生する厨芥などの生ゴミを破砕（粉砕を含む。）して公共下水道へ排水させるディスポーザ排水処理システムが急速に普及している。このディスポーザ排水処理システムは、主として、厨芥に代表される生ゴミなどの廃棄物を破砕するディスポーザと、そのディスポーザにより破砕された破砕廃棄物が含まれる排水に水浄化処理を施して、その排水の汚濁負荷を低減する排水処理槽とから構成されている。
【０００３】
このようなディスポーザ排水処理システムによれば、台所や厨房の排水口に設置されるディスポーザによって厨芥などの生ゴミが破砕され、その破砕物を含んだ排水が台所や厨房から排水管を通じて排水処理槽へ流下され、その排水処理槽内で分解浄化されて汚濁負荷が低減されてから、その処理水が公共下水道へ排出される。
【０００４】
ここで、ディスポーザ排水処理システムの排水処理槽には、その排水処理槽の本体となるＦＲＰ製の貯留タンクの他に、その貯留タンクに貯留される排水を輸送（移送）するためのポンプ（流体輸送装置）、貯留タンク内に貯留される排水にエアレーション（曝気）用の送風を行う送風機（ブロワ）、その送風機及びポンプの運転制御を行う制御盤、及び、その制御盤による制御対象の挙動を検出するための計装機器などが装備されている。
【特許文献１】特開２００２−２９２３８７号公報
【特許文献２】特開２００１−１９８５８７号公報
【特許文献３】特開２００２−２１０４９８号公報
【発明の開示】
【発明が解決しようとする課題】
【０００５】
しかしながら、上記したディスポーザ排水処理システムについては、従来より、その排水処理槽の設置工事に関して、次の問題点があった。
【０００６】
まず、排水処理槽の設置工事においては、貯留タンク、ポンプ、送風機、制御盤、計装機器などの各部品がそれぞれ異なった時期にばらばらに設置工事現場に納品されるため、排水処理槽を稼働させるために必要となる設置工事、配管工事、及び、電気工事を、その工事対象となる各部品の全てが設置工事現場に納品されて揃うまで行うことができず、結果、排水処理槽の設置工事期間が長期化してしまうという問題点があった。
【０００７】
また、上記した水処理用の各種機器に関する、設置工事、配管工事、及び、電気工事の後には、上記した各部品について個別の設置検査が必要となるとともに、その他にも、これらの運転作動状態、漏水、空気漏れなどの確認検査や、計装機器の異常確認検査が必要となるため、その分、排水処理槽の設置工事期間が更に長期化してしまうという問題点があった。
【０００８】
しかも、貯留タンクが設置されている地下ピット内に送風機や制御盤も一緒に設置するような工事形態が採用される場合においては、排水処理槽の設置工事中に想定外の降雨があると、そのときの雨水等で地下ピットが冠水してしまい、その冠水によって地下ピットに設置される送風機や制御盤が水没して破損してしまうという問題点もあった。
【０００９】
それならばと、冠水による送風機の破損防止策として、送風機を地下ピット内に設置する方式ではなく、水中設置型のエアレータや曝気ポンプを排水処理槽の排水処理室内に沈設する方式を採用してみたが、これらの装置は、排水処理室内に沈設されるために稼働状況の視認が困難であり、更に、メンテナンス時には排水処理室から人手で引き上げなければならず手間が掛かるため、どうしても注油等のメンテナンス作業が手遅れがちとなり、故障が起き易いという別の問題点があった。
【００１０】
本発明は、上述した問題点を解決するためになされたものであり、排水処理槽の設置工事期間を短縮化するとともに、排水処理槽の稼働に要する水処理用の各種機器が水没して破損することを防止し、これらの水処理用の各種機器に関する定期メンテナンスを容易に行うことができるディスポーザ排水処理システムの排水処理槽を提供することを目的としている。
【課題を解決するための手段】
【００１１】
この目的を達成するために請求項１のディスポーザ排水処理システムの排水処理槽は、ディスポーザにより破砕された破砕廃棄物を含んだ排水の汚濁負荷を低減させるための水浄化処理が行われる排水処理槽であって、運搬可能なサイズに形成されている貯留タンクと、その貯留タンクの内部に画設され、破砕廃棄物を含んだ排水が貯留可能に形成され、その貯留した排水に対して水浄化処理を施すための排水処理室と、その排水処理室と隔絶された状態で前記貯留タンクの内部に画設され、その貯留タンクに貯留される排水の水浄化処理に使用される水処理機器を格納設置可能でかつ作業員を収容可能なスペースを有する機器格納室と、その機器格納室へ出入り可能かつ開閉可能に形成される点検口とを備えている。
【００１２】
この請求項１のディスポーザ排水処理システムの排水処理槽によれば、貯留タンクの内部には、破砕廃棄物を含む排水を水浄化処理する排水処理室に加えて、その排水処理室から隔絶された状態で機器格納室が画設されている。このため、かかる機器格納室内には、排水処理槽の稼働に必要となる水処理機器を格納して設置させることができる。
【００１３】
例えば、この機器格納室内には、排水処理槽の稼働に不可欠な機器が格納設置される。具体的には、排水処理室に貯留される排水にエアレーション用の圧縮空気を送風する送風機や、かかる送風機や排水輸送用のポンプの動作、その他の排水処理槽の稼働状態を制御する制御盤が格納設置される。
【００１４】
さすれば、貯留タンクに送風機や制御盤を組み込んで一体化（ユニット化）することができ、その上、排水処理室内に設置される散気装置と送風機との配管工事や、その送風機と制御盤との電気工事、排水処理室に設置されるポンプと制御盤との電気工事、及び、排水処理室に設置される計装機器と制御盤との電気工事などの各種工事を完了させた状態で、貯留タンクを出荷して設置工事現場に搬入することができる。
【００１５】
しかも、排水処理槽の設置工事完了後は、点検口を開放してから作業員が機器格納室に容易に出入りすることができるので、機器格納室内に設置される水処理機器のメンテナンス作業がスムーズに行われる。また、機器格納室内でのメンテナンス作業時を除いては、点検口を覆蓋して閉鎖しておけば、かかる点検口から機器格納室に浸水することも防止される。
【００１６】
請求項２のディスポーザ排水処理システムの排水処理槽は、請求項１のディスポーザ排水処理システムの排水処理槽において、前記機器格納室に格納設置される水処理機器を収容可能で、かつ、その水処理機器を収容した状態で内部の空気が吸引除去されて密封される収容袋を備えている。
【００１７】
この請求項２のディスポーザ排水処理システムの排水処理槽によれば、請求項１のディスポーザ排水処理システムの排水処理槽が奏する作用及び効果に加え、水処理機器は収容袋内に密封状態で収容されて機器格納室内に格納設置されるので、貯留タンクが設置工事現場へ搬入された後も、その設置工事現場で発生する粉塵によって水処理機器が汚損されることを防止できる。
【００１８】
しかも、水処理機器を収容した収容袋の内部からは空気が吸引除去されるので、排水処理槽の設置工事が完了するまで収容袋を水処理機器に被せておけば、水処理機器が湿気や結露によって錆び付くことが防止されるので、排水処理槽の設置工事が完成した後、かかる排水処理槽を稼働する際に水処理機器の誤作動を防止できる。
【００１９】
請求項３のディスポーザ排水処理システムの排水処理槽は、請求項１又は２のディスポーザ排水処理システムの排水処理槽において、前記機器格納室は、前記した水処理機器の他に加えて、その機器格納室及び前記排水処理室における工事、点検、検査又はその他の作業を行うために用いられる作業用設備が格納設置可能に形成されている。
【００２０】
この請求項３のディスポーザ排水処理システムの排水処理槽によれば、請求項１又は２のディスポーザ排水処理システムの排水処理槽が奏する作用及び効果に加え、機器格納室内には、破砕廃棄物を含む排水を水浄化処理するための水処理機器に加えて、作業用設備が格納設置されるので、この作業用設備を使用することで、機器格納室内での各種作業を迅速かつ円滑に行うことができる。
【００２１】
例えば、貯留タンクを設置工事現場に設置した後に機器格納室内で工事、点検又は検査等をする必要がある場合や、排水処理槽の設置完了後に機器格納室内において水処理機器の保守メンテナンスを行う場合に、その都度、作業用設備として予め装備されている機器を、機器格納室内に持ち込んだり、あるいは、事前に別途準備する必要もなく、機器格納室内での作業性を格段に向上させることができる。
【００２２】
請求項４のディスポーザ排水処理システムの排水処理槽は、請求項１から３のいずれかのディスポーザ排水処理システムの排水処理槽において、前記機器格納室に格納設置される前記作業用設備には、その機器格納室内の浸水を排出する雨水排出用ポンプ、その機器格納室内の換気を行う換気装置、その機器格納室内を照らす照明装置、又は、その機器格納室内に電力を供給するための電気配線用差込接続器のプラグ受け器である電気コンセントのうち１又は２以上が含まれている。
【００２３】
この請求項４のディスポーザ排水処理システムの排水処理槽によれば、請求項１から３のいずれかのディスポーザ排水処理システムの排水処理槽が奏する作用及び効果に加え、機器格納室内に格納設置される作業用設備として、特に、雨水排水用ポンプ、換気装置、照明装置、又は、電気コンセントのうち１又は２以上が含まれるので、これらの設備が必要となる工事、点検及び検査に関する作業性が向上される。
【発明の効果】
【００２４】
本発明のディスポーザ排水処理システムの排水処理槽によれば、貯留タンクには、水処理機器を格納設置可能なスペースを有する機器格納室が一体的に画設されているので、かかる機器格納室内に排水処理槽の稼働に不可欠な水処理機器、例えば、エアレーション用の送風機や、その送風機や排水輸送用のポンプの動作を制御する制御盤を、貯留タンクが設置工事現場へ搬入される以前に予め格納設置しておけるという効果がある。
【００２５】
このように貯留タンクの機器格納室に水処理機器を予め格納設置できるので、かかる水処理機器を稼働させるために必要となる各種工事、例えば、エアレーション用の送風機の配管工事や制御盤に関連する電気工事なども、製造工場において予め完了させておくことができる。したがって、これらの各種工事を、貯留タンクとその他の水処理機器が設置工事現場に全て納品されて揃うまで持ち越す必要もなく、その分、排水処理槽の工期を大幅に短縮化できるという効果がある。
【００２６】
また、水処理機器の設置工事に加えて、水処理機器の動作状況を確認するための点検や検査作業も、排水処理槽の設置工事現場で簡易的になされるのではなく、検査設備及び検査態勢が整っている製造工場において厳密に行えるので、その分、排水処理槽全体としての品質向上に寄与でき、さらには、排水処理槽の更なる工期短縮が図られるという効果がある。
【００２７】
しかも、上記した水処理機器を稼働させるために必要となる各種工事が製造工場において行われることで、これらの各種工事が工事現場で行われる場合に比べて、これらの工事に使用される配管や配線などの各種資材の無駄使いも削減され、その分、排水処理槽の施工コストも抑制されるという効果がある。
【００２８】
その上、貯留タンクを地下ピット内に設置する場合においては、送風機や制御盤などの水処理機器を地下ピット内に直接設置する必要がないので、地下ピットが冠水しても、貯留タンク内の機器格納室内に格納設置されている水処理機器の水没は回避されるという効果がある。
【００２９】
しかも、貯留タンクを設置工事現場に設置した後は、機器格納室の点検口を覆蓋することによって閉鎖しておけば、排水処理槽の工事期間中に想定外の降雨があっても、かかる機器格納室内に浸水することが防止され、機器格納室が冠水して、水処理機器が水没して破損することを防止できるという効果がある。
【００３０】
さらに、排水処理槽の設置工事完了後は、点検口を開放して、そこから作業員が機器格納室に入り込んで、水処理機器のメンテナンス作業を容易に行えるので、水処理機器の定期的なメンテナンス作業を迅速かつ円滑に実施でき、メンテナンス作業が手遅れとなって水処理機器を故障させてしまう事態を回避できるという効果がある。
【発明を実施するための最良の形態】
【００３１】
以下、本発明の好ましい実施例について、添付図面を参照して説明する。図１は、本発明の一実施例であるディスポーザ排水処理槽（以下単に「排水処理槽」という。）１の内部構造を示した縦断面図である。この排水処理槽１は、ディスポーザ排水処理システムの一部として機能する排水用の浄化処理槽であって、ディスポーザ（図示せず）により破砕された破砕廃棄物を含んだ排水の汚濁負荷を低減させるための水浄化処理が行われるものである。
【００３２】
図１に示すように、この排水処理槽１は、その本体として機能するＦＲＰ製の貯留タンク２を備えており、この貯留タンク２は、貨物自動車などの荷台に積載して運搬可能なサイズに形成されている。また、この貯留タンク２の内部には、ディスポーザから排水管５０を通じて流入してくる破砕廃棄物を含んだ排水が貯留可能な空間である排水処理室３が画設されており、この排水処理室３内において排水の水浄化処理が行われる。
【００３３】
排水処理室３は、主として生物処理タイプの処理方式を採用するものであって、その内部には、無機分離槽室４、好気可溶化槽室５、好気ろ床槽室６、沈殿槽室７、及び、放流ポンプ槽室８の順番で複数の処理室が画設されている。ここで、貯留タンク２には、ディスポーザに一端部が接続されている排水管５０の他端部が接続されており、この排水管５０の他端部は、排水処理室３の最前段に設けられる無機分離槽室４と連通されている。
【００３４】
無機分離槽室４は、その内部に散気装置９が配設されており、この散気装置９を通じて送風機３３から供給される圧縮空気によって曝気される。この無機分離槽室４では、散気装置９による曝気によって破砕廃棄物が含まれる排水から、破砕廃棄物の中で比重の大きなもの、例えば、生ゴミの中に含まれる動物又は魚介類の殻や骨、あるいは、卵の殻などが分離されて、その底部に沈殿されて貯留される。この無機分離槽室４に貯留される沈殿物は、定期的な保守メンテナンスの際に処理室用マンホール２１から汲み上げられて処分される。
【００３５】
好気可溶化槽室５は、その上部一画に上記した無機分離槽室４が画設されており、排水処理室３内でも比較的大きな処理室である。また、好気可溶化槽室５は、その内部に散気装置１０が配設されており、この散気装置１０を通じて送風機３３から供給される圧縮空気によって強力な曝気撹拌水流が生成されている。この散気装置１０による曝気撹拌水流によって、この好気可溶化槽室５では、破砕廃棄物のサイズ（粒径）が０．６ｍｍ以下に剪断破壊される。
【００３６】
好気ろ床槽室６は、好気条件下で水質浄化処理を行う処理室であって、好気可溶化槽室５の次段に画設されている。本実施例の好気ろ床槽室６は、その内部が更に複数に画設されており、合計３段の処理室６ａ，６ｂ，６ｃが画設されている。
【００３７】
好気ろ床槽室６の３段の各処理室６ａ，６ｂ，６ｃには、好気性微生物が生息する多孔質性のスポンジ担体がそれぞれ収容されており、この好気性微生物によって、好気可溶化槽室５で剪断されて微細化された破砕廃棄物が可溶化されて、排水の水質浄化が行われる。また、好気ろ床槽室６の各処理室６ａ，６ｂ，６ｃには、その内部に散気装置１１がそれぞれ配設されており、この散気装置１１を通じて送風機３３から供給される圧縮空気によって曝気される。
【００３８】
沈殿槽室７は、水浄化処理の対象物である排水から有機成分を含む汚泥を沈殿分離させる処理室であって、好気ろ床槽室６の次段に画設されている。この沈殿槽室７で沈殿分離された汚泥は、エアリフトポンプ１２によって吸引されて返送管１３を通じて好気可溶化槽室５へと返送されて、再び、好気可溶化槽室５、好気ろ床槽室６、及び、沈殿槽室７の順番で処理される。この結果、有機成分が含まれる汚泥が循環処理される。
【００３９】
放流ポンプ槽室８は、沈殿槽室７の次段に画設されており、沈殿槽室７において汚泥が分離された上澄水を、放流ポンプ１４によって公共下水道へ放流するために一時的に貯留する処理室である。放流ポンプ１４は、放流ポンプ槽室８内に設置されており、この放流ポンプ１４に接続される放流管１５が公共下水道と接続されている。
【００４０】
このように複数の処理室を有した排水処理室３は、ディスポーザによって破砕された破砕廃棄物を含む排水が排水管５０を通じて、まず、無機分離槽室４へ流入するように構成されている。そして、その無機分離槽室４の上部空間は、好気可溶化槽室５の上部空間と連通されており、無機分離槽室４からオーバーフローした排水が好気可溶化槽室５へ流入するように構成されている。
【００４１】
また、好気可溶化槽室５と好気ろ床槽室６における第１段目の処理室６ａとを区画する壁体１６上部、好気ろ床槽室６における第１段目及び第２段目の処理室６ａ，６ｂを区画する壁体１７上部、好気ろ床槽室６における第２段目及び第３段目の処理室６ｂ，６ｃを区画する壁体１８上部、好気ろ床槽室６における第３段目の処理室６ｃと沈殿槽室７とを区画する壁体１９上部、並びに、沈殿槽室７及び放流ポンプ槽室８を区画する壁体２０上部は、上流側の処理室から下流側の処理室へ排水が流通するように、それぞれ連通されている。
【００４２】
さらに、無機分離槽室４、好気可溶化槽室５、好気ろ床槽室６の第１段目の処理室６ａ、第２段目の処理室６ｃ、第３段目の処理室６ｃ、沈殿槽室７、及び、放流ポンプ槽室８における上部には、外部と連通する処理室用マンホール２１が開口形成されている。これらの処理室用マンホール２１は、排水処理室３の各処理室に作業員が出入り可能な開口サイズに形成され、それらに覆蓋されるマンホール蓋２２によって閉塞可能にそれぞれ形成されている。
【００４３】
また、貯留タンク２は、その内部に上記した排水処理室３と完全に隔絶された状態で機器格納室２５が隔壁２３によって画設されており、これらの排水処理室３と機器格納室２５とを有する一体物として成形されている。この機器格納室２５は、貯留タンク２の内部における放流ポンプ槽室８の次段に画設されており、排水処理槽１の稼働、工事、点検及び検査等において使用が必要となる各種機器３１，３２を格納設置可能なスペースを備えている。このため、排水処理槽１は、その機器格納室２５内に、これらの各種機器３１，３２を格納して設置したままの状態で納品されて設置場所に設置される。
【００４４】
ここで、機器格納室２５内に格納設置される各種機器３１，３２は、主として、貯留タンク２に貯留される排水の水浄化処理を行うために稼働される水処理機器３１と、その機器格納室２５内で水処理機器３１に関する工事、点検又はその他の作業等を行うために用いられる作業用設備３２とに大別される。
【００４５】
この機器格納室２５に格納される水処理機器３１は、排水処理槽１の稼働に不可欠な機器であって、主として、排水処理室３に貯留される排水にエアレーション用の圧縮空気を送風する送風機３３と、かかる送風機３３及び放流ポンプ１４の動作や排水処理槽１の稼働状態を制御する制御盤３４とを含んでいる。
【００４６】
なお、当然のことながら、排水処理槽１の運転稼働のために必要な機器であれば、この他にも、水処理機器３１として格納室に格納設置することができ、例えば、排水処理室３に配設される各種計装機器の状態を監視するための計器類などを水処理機器３１として格納室に格納設置するようにしても良い。
【００４７】
また、機器格納室２５内には、排水処理槽１の稼働時における騒音及び振動の低減の観点から、騒音及び振動が大きな大型の送風機ではなく、複数台の小型の送風機３３が設置されている。また、これらの送風機３３は、機器格納室２５の床面に敷設される防振部材３５の上面に固定的に設置されており、この防振部材３５によって送風機３３から発生する振動が吸収されて低減されるように構成されている。さらに、制御盤３４は、機器格納室２５の内壁面に固定されている。
【００４８】
しかも、機機器格納室２５に格納設置される送風機３３及び制御盤３４に代表される水処理機器３１は、製造工場において機器格納室２５内に取り付けられた状態で、可撓性を有する合成樹脂製の収容袋３６が被せられており、この収容袋３６内に密閉されて収容されている。しかも、この収容袋３６内の空気は、例えば、掃除機などの吸引装置によって吸引除去されている。
【００４９】
このため、貯留タンク２が設置工事現場へ搬入された後も、数か月から数年に及ぶ工事期間中に、設置工事現場で発生する粉塵によって送風機３３や制御盤３４が汚損されることを防止でき、なおかつ、制御盤３４の接点が湿気や結露によって錆び付くことを防止でき、排水処理槽１の設置工事が完成した後に制御盤３４や計装機器（図示せず）の誤作動を防止できる。
【００５０】
また、機器格納室２５に格納される作業用設備３２には、主として、その機器格納室２５内に浸水した雨水等を排出する雨水排出用ポンプ３７、その機器格納室２５内の換気を行う換気装置３８、その機器格納室２５内を照らす照明装置３９、及び、その機器格納室２５内に電力を供給するための電気配線用差込接続器のプラグ受け器である電気コンセント４０が配設されており、機器格納室２５内における作業環境が整備されている。
【００５１】
このため、貯留タンク２を設置工事現場に設置した後に機器格納室２５内で工事、点検又は検査等をする必要がある場合や、排水処理槽１の設置完了後に機器格納室２５内において水処理機器３１の保守メンテナンスを行う場合に、これらの雨水排出用ポンプ３７、換気装置３８、照明装置３９、及び、電気コンセント４０を別途用意する必要もなく、機器格納室２５内での作業を迅速かつ円滑に行うことができる。
【００５２】
なお、作業用設備３２の種類は上記したものに限定されるものではなく、機器格納室２５内における作業環境を改善できる機器や設備であれば、上記したものに加えて機器格納室２５内に格納設置するようにしても良い。
【００５３】
また、機器格納室２５における上部には、外部と連通する格納室用マンホール４１が開口形成されている。この格納室用マンホール４１は、機器格納室２５に作業員が出入り可能な開口サイズに形成され、それに覆蓋されるマンホール蓋４２によって閉塞可能に形成されている。よって、このマンホール蓋４２を用いて、この格納室用マンホール４１を開閉することで作業員が機器格納室２５を出入りして作業を行うことができるのである。
【００５４】
以上のように構成されたディスポーザ排水処理システムの排水処理槽１によれば、その貯留タンク２の機器格納室２５内が画設されており、かかる機器格納室２５内に送風機３３及び制御盤３４に代表される水処理機器３１を組み込んでユニット化することができる。このため、排水処理槽１を設置工事現場に納品設置する以前に、製造工場において、排水処理室３内に設置される散気装置９，１０，１１と送風機３３との配管工事や、その送風機３３と制御盤３４との電気工事、排水処理室３に設置されるポンプと制御盤３４との電気工事、及び、排水処理室３に設置される計装機器と制御盤３４との電気工事などの各種工事を完了させた状態で、貯留タンク２を出荷して設置工事現場に搬入することができる。
【００５５】
以上、実施例に基づき本発明を説明したが、本発明は上記実施例に何ら限定されるものではなく、本発明の趣旨を逸脱しない範囲内で種々の改良変形が可能であることは容易に推察できるものである。
【００５６】
例えば、本実施例では、騒音及び振動の抑制の観点から送風機３３を小型のものを複数台設置する方式を採用したが、かかる送風機３３の設置台数又はサイズは必ずしもこれに限定されるものではなく、例えば、防振部材等の防振装置を介して振動低減が図られているならば、送風機を複数の小型容量のものに分割せずとも、大型容量の送風機を１台設置するようにしても良い。
【００５７】
また、本実施例では、機器格納室２５に格納設置される作業用設備３２として、雨水排出用ポンプ３７、換気装置３８、照明装置３９及び電気コンセント４０の全てが配設されたが、必ずしもこれら全ての機器３７〜４０が必ずしも作業用設備３２として機器格納室２５内に配設される必要はなく、これらのうち１又は２以上が含まれていれば良い。また、これらの機器３７〜４０とは異なる機器を、適宜、作業用設備３２として機器格納室２５内に格納設置するようにしても良い。
【図面の簡単な説明】
【００５８】
【図１】本発明の一実施例であるディスポーザ排水処理槽の内部構造を示した縦断面図である。
【符号の説明】
【００５９】
１                  排水処理槽
２                  貯留タンク
３                  排水処理室
２５                機器格納室
４１                格納室用マンホール（点検口）
３１                水処理機器
３２                作業用設備
３３                送風機（水処理機器の一部）
３４                制御盤（水処理機器の一部）
３６                収容袋
３７                雨水排出用ポンプ（作業用設備の一部）
３８                換気装置（作業用設備の一部）
３９                照明装置（作業用設備の一部）
４０                電気コンセント（作業用設備の一部）
【図１】
2009034601.tif 000003